(57)【要約】【課題】髪の長さが綺麗に揃えられた部分、および、自然な風合いを持つ部分を含むテーパーカットを比較的容易に形成することに貢献するアタッチメント、および、このアタッチメントを有するバリカンを提供する。【解決手段】アタッチメント１００は、バリカン１０にマウントされるボディ１１０、ブレードユニット３０を覆うヘッドカバー、ブレードユニット３０をヘッドカバーから露出させるスリット群、ならびに、ボディ１１０およびヘッドカバーと結合した櫛歯群２００を含む。櫛歯群２００は、外側櫛歯２１０、内側櫛歯２２０、および、補助櫛歯２３０を含む。内側櫛歯２２０は、外側櫛歯２１０よりも長い。補助櫛歯２３０は、外側櫛歯２１０よりも短い。【選択図】図１
2015128533.tif 000002
【特許請求の範囲】
【請求項１】
バリカンにマウントされるボディと、
前記ボディと結合し、バリカンのブレードユニットを覆うヘッドカバーと、
前記ヘッドカバーに形成されてバリカンのブレードユニットを前記ヘッドカバーから露出させるスリット群と、
前記ボディおよび前記ヘッドカバーの少なくとも一方と結合した櫛歯群と
を含むバリカンのアタッチメントであって、
前記櫛歯群が、外側櫛歯、内側櫛歯、および、補助櫛歯を含み、
前記外側櫛歯が、前記アタッチメントの幅方向において前記内側櫛歯および前記補助櫛歯よりも外側に形成され、
前記内側櫛歯が、前記アタッチメントの幅方向において前記補助櫛歯よりも内側に形成され、前記外側櫛歯よりも長く、
前記補助櫛歯が、前記外側櫛歯よりも短い
バリカンのアタッチメント。
【請求項２】
前記スリット群に含まれる１つのスリットが、前記内側櫛歯と前記補助櫛歯との間に形成され、
前記スリット群に含まれる別の１つのスリットが、前記外側櫛歯と前記補助櫛歯との間に形成され、前記１つのスリットよりも幅が広い
請求項１に記載のバリカンのアタッチメント。
【請求項３】
前記アタッチメントの幅方向における前記外側櫛歯と前記補助櫛歯との間隔が、前記アタッチメントの幅方向における前記内側櫛歯と前記補助櫛歯との間隔よりも広い
請求項１または２に記載のバリカンのアタッチメント。
【請求項４】
前記アタッチメントが、髪をバリカンのブレードユニット側に案内するガイドをさらに含み、
前記ガイドは、前記ヘッドカバー上において前記アタッチメントの幅方向の外側部分に形成され、前記外側櫛歯と結合し、前記アタッチメントの幅方向に広がる形状を有し、前記アタッチメントの幅方向において外側から内側に向かうにつれて前記外側櫛歯の頂部側から前記スリット群に含まれるスリット側に向けて傾斜した部分を含み、
前記ブレードユニットが配置される領域を挟んで、前記ヘッドカバーのうちの前記ガイドを支持する部分の内面に臨む部分が、前記ブレードユニットの一部を露出させる構造を有している
請求項１〜３のいずれか一項に記載のバリカンのアタッチメント。
【請求項５】
前記アタッチメントが、前記アタッチメントの長手方向において前記ボディに対してスライドするスライドプレートをさらに含み、
前記スライドプレートが、前記スリット群に含まれるスリットの一部分を覆う突出位置、および、前記突出位置よりも前記スリット群から離れた引込位置を取り、
前記スライドプレートにおける前記櫛歯群側の縁は、前記アタッチメントの幅方向の外側において内側よりも前記櫛歯群側にせり出している
請求項２〜４のいずれか一項に記載のバリカンのアタッチメント。
【請求項６】
請求項１〜５のいずれか一項に記載のバリカンのアタッチメントが取り付けられるバリカン。
【発明の詳細な説明】
【技術分野】
【０００１】
本発明は、バリカンのアタッチメント、および、バリカンに関する。
【背景技術】
【０００２】
バリカンのアタッチメントは、髪のカット形態に関する機能をバリカンに提供する。一般に、アタッチメントの櫛歯の長さは、バリカンによりカットされる髪の長さを規定する。バリカンの使用者が標準的な使用方法によりバリカンを使用する場合、バリカンによりカットされた部位の髪の長さが、アタッチメントの櫛歯により規定される長さに概ね揃えられる。
【０００３】
アタッチメントの一形態によれば、上記のような基本的な機能に加えて、スキ刈りを実現するための機能をバリカンに提供する。特許文献１は、このようなアタッチメントの一例を開示している。
【０００４】
図１３に示されるとおり、特許文献１のアタッチメント８００は、複数の櫛歯８１０および刃カバー８２０を含む。各櫛歯８１０は、互いに同じ長さを有している。刃カバー８２０は、バリカンの刃（図示略）を覆う役割を持つ。複数のスリット８３０が、刃カバー８２０に形成されている。
【０００５】
アタッチメント８００が取り付けられたバリカンである第１のバリカン（図示略）によれば、その刃の一部が刃カバー８２０に覆われ、刃の別の一部が複数のスリット８３０を介して刃カバー８２０の外部を臨む。
【０００６】
第１のバリカンによれば、バリカンの移動方向と櫛歯８１０の長手方向とが実質的に一致するように、バリカンが頭部の下方から上方に向けて動かされるとき、髪が隣り合う櫛歯８１０の間を通過する。隣り合う櫛歯８１０の間を通過した髪の一部は、スリット８３０を介してバリカンの刃に到達する。一方、隣り合う櫛歯８１０の間を通過した髪の別の一部は、刃カバー８２０と接触する。このため、髪がスキ刈りされる。このため、第１のバリカンによりカットされた部分は、髪の長さが概ね同じ長さに揃えられ、かつ、自然な風合いを持つ。
【０００７】
ヘアースタイルの一例として、頭部の下方に向かうにつれて髪が短くなるテーパー形状を有し、かつ、自然な風合いを持つものが知られている。以下では、このようなヘアースタイルを便宜上、自然なテーパーカットと記述する。
【０００８】
第１のバリカンは、同じ長さの複数の櫛歯８１０を有するため、自然なテーパーカットを形成することに適していない。一方、非特許文献１は、自然なテーパーカットを実現するための機能をバリカンに提供するアタッチメントを開示している。
【０００９】
図１４に示されるとおり、非特許文献１のアタッチメント９００は、複数の内側櫛歯９１０、複数の外側櫛歯９２０、および、刃カバー９３０を含む。複数のスリット９４０が、刃カバー９３０に形成されている。刃カバー９３０は、第１のバリカンの刃カバー８２０と同様の役割を持つ。外側櫛歯９２０は、アタッチメント９００の幅方向において内側櫛歯９１０よりも外側に形成されている。外側櫛歯９２０の長さは、内側櫛歯９１０の長さよりも短い。
【００１０】
アタッチメント９００が取り付けられたバリカンである第２のバリカン（図示略）によれば、第１のバリカンと同様に、その刃の一部が刃カバー９３０に覆われ、刃の別の一部が複数のスリット９４０を介して刃カバー９３０の外部を臨む。
【００１１】
第２のバリカンによれば、バリカンの移動方向が内側櫛歯９１０および外側櫛歯９２０の長手方向に対して交差しているとき、髪が内側櫛歯９１０の側面または外側櫛歯９２０の側面に接触してバリカンの刃側に案内される。内側櫛歯９１０および外側櫛歯９２０により案内された髪の一部は、スリット９４０を介してバリカンの刃に到達する。一方、内側櫛歯９１０および外側櫛歯９２０により案内された髪の別の一部は、刃カバー９３０と接触する。このため、髪がテーパー状にスキ刈りされる。このため、自然なテーパーカットが形成される。
【先行技術文献】
【特許文献】
【００１２】
【特許文献１】特開２００８−２１２７１３号公報
【非特許文献】
【００１３】
【非特許文献１】Panasonic Operating Instructions AC/Rechargeable Hair Clipper Model No.ER-CA70/ER-CA35
【発明の概要】
【発明が解決しようとする課題】
【００１４】
ヘアースタイルのさらに別の一例によれば、自然なテーパーカットにおいて、耳周りおおび襟足の髪の長さが側頭部の上部の髪と比較して綺麗に揃えられる。なお、以下の説明では、このようなヘアースタイルを便宜上、別の自然なテーパーカットと記述する。
【００１５】
本願発明者は、別の自然なテーパーカットをバリカンにより容易に形成することができれば、バリカンの実用性がより高められることに着目した。そして、本願発明者は、このような側面から、第２のバリカンの機能について検討した。その結果、第２のバリカンにより別の自然なテーパーカットを形成する場合、以下のとおり、カットに要する時間が比較的長くなるおそれがあることが確認された。
【００１６】
カットする部位の髪の長さを綺麗に揃える場合、カット作業に要する時間の側面からすると、多くの髪がバリカンの刃に到達することが好ましい。しかし、第２のバリカンによれば、刃カバー９３０が、内側櫛歯９１０および外側櫛歯９２０により案内された髪の一部がバリカンの刃に到達することを妨げる。このため、第２のバリカンを用いて髪の長さを綺麗に揃えるためには、同じ部位に対してバリカンを充てる回数が多くなる。このため、耳周りおよび襟足の髪の長さを綺麗に揃えようとした場合、イメージするカットが形成されるまでに比較的長い時間がかかる。
【００１７】
なお、ここでは、別の自然なテーパーカットを形成する場合を例に、第２のバリカンの機能について検討している。ただし、髪の長さが綺麗に揃えられる部分を含むカットを形成する場合であれば、上記テーパーカットを形成する場合に限られず、同様の課題が生じると考えられる。上述した課題の本質的な原因は、テーパーカットの機能をバリカンに提供するアタッチメントにおいて、比較的多くの髪をカットする機能をさらにバリカンに提供するという設計思想が含まれていない点にある。
【００１８】
本発明の目的は、髪の長さが綺麗に揃えられた部分、および、自然な風合いを持つ部分を含むテーパーカットを比較的容易に形成することに貢献するアタッチメント、および、このアタッチメントを有するバリカンを提供することである。
【課題を解決するための手段】
【００１９】
本バリカンのアタッチメントの独立した一形態によれば、バリカンにマウントされるボディと、前記ボディと結合し、バリカンのブレードユニットを覆うヘッドカバーと、前記ヘッドカバーに形成されてバリカンのブレードユニットを前記ヘッドカバーから露出させるスリット群と、前記ボディおよび前記ヘッドカバーの少なくとも一方と結合した櫛歯群とを含むバリカンのアタッチメントであって、前記櫛歯群が、外側櫛歯、内側櫛歯、および、補助櫛歯を含み、前記外側櫛歯が、前記アタッチメントの幅方向において前記内側櫛歯および前記補助櫛歯よりも外側に形成され、前記内側櫛歯が、前記アタッチメントの幅方向において前記補助櫛歯よりも内側に形成され、前記外側櫛歯よりも長く、前記補助櫛歯が、前記外側櫛歯よりも短い。
【発明の効果】
【００２０】
本バリカンのアタッチメント、および、このアタッチメントが取り付けられるバリカンによれば、髪の長さが綺麗に揃えられた部分、および、自然な風合いを持つ部分を含むテーパーカットを比較的容易に形成することに貢献する。
【図面の簡単な説明】
【００２１】
【図１】実施形態のバリカンおよびアタッチメントの分解斜視図。
【図２】（ａ）：実施形態のバリカンおよびアタッチメントの正面図。（ｂ）：バリカンおよびアタッチメントの側面図。
【図３Ａ】実施形態のアタッチメントの正面図。
【図３Ｂ】実施形態のアタッチメントであり、スライドプレートが省略された状態の正面図。
【図３Ｃ】実施形態のアタッチメントの側面図。
【図３Ｄ】実施形態のアタッチメントの背面図。
【図３Ｅ】実施形態のアタッチメントの平面図。
【図３Ｆ】実施形態のアタッチメントの斜視図。
【図４】図３ＡのＺ４−Ｚ４線に沿う断面図。
【図５】図３ＡのＺ５−Ｚ５線に沿う断面図。
【図６】実施形態のバリカンの一部の正面図。
【図７】実施形態のバリカンの一部の斜視図。
【図８】実施形態のアタッチメントであり、スライドプレートが突出位置に存在している状態の正面図。
【図９】図８のＡ部の拡大図。
【図１０Ａ】図６のＺ１０−Ｚ１０線に沿う断面図。
【図１０Ｂ】図６のＺ１０−Ｚ１０線に沿う断面図。
【図１１Ａ】実施形態のバリカンの使用形態の一例を示す正面図。
【図１１Ｂ】図１１Ａにおけるバリカンおよび髪の関係を示す模式図。
【図１２Ａ】実施形態のバリカンの使用形態の一例を示す正面図。
【図１２Ｂ】図１２Ａにおけるバリカンおよび髪の関係を示す模式図。
【図１３】特許文献１のアタッチメントの斜視図。
【図１４】非特許文献１のアタッチメントの斜視図。
【発明を実施するための形態】
【００２２】
本願発明者は、次のような考え方に基づいて、本発明の目的を達成するための技術事項を検討し、本アタッチメントを創作した。［発明が解決しようとする課題］の欄に記述されるとおり、第２のバリカンに含まれる課題は、スリットを介して刃に案内される髪の量が少ないことに起因している。このため、スリットを介して刃に案内される髪の量を増加させるという考え方が、上記課題を解決するための手段の基礎を形成する。
【００２３】
この考え方に従うアタッチメントの一例によれば、第２のバリカンのアタッチメント９００よりも櫛歯の数が多くなる。このアタッチメントは、髪をバリカンの刃側に案内し得る部分の面積を広くすることにより、スリットを介して刃に案内される髪の量を増やすことを意図している。しかし、櫛歯の数を単に増やすだけでは、刃に案内される髪の量が十分に増えないことがある。
【００２４】
第２のバリカンのアタッチメント９００を基準の構造と位置付け、櫛歯の数を増やす構造を検討した場合、一例として、内側櫛歯９１０と外側櫛歯９２０との間に、これらの櫛歯の中間の長さを持つ中間櫛歯が形成されたアタッチメントが考えられる。このアタッチメントが取り付けられたバリカンである第３のバリカンによれば、耳周りおよび襟足の髪の長さが比較的綺麗に揃えられたテーパーカットを形成する場合、第２のバリカン等と同様に、各櫛歯の長手方向と交差する方向にバリカンが動かされる。
【００２５】
しかし、本願発明者は、第３のバリカンを用いて上記テーパーカットを形成する場合、第２のバリカンを用いた場合と比較して、カットに要する時間に関して有意な違いが生じにくいことを確認した。これは、中間櫛歯が追加された上記アタッチメントの構造が、刃に案内する髪の量を増やすことに対して十分に貢献していないことを示している。その理由は、次のように考えられる。
【００２６】
第３のバリカンが各櫛歯の長手方向と交差する方向に動かされるとき、一例として、内側櫛歯、中間櫛歯、および、外側櫛歯の順に各櫛歯がバリカンの進行方向側に存在する髪に接触していく。このとき、髪の一部は、内側櫛歯の側面と接触して刃側に案内される。一方、髪の別の一部は、内側櫛歯の縁と頭部との間に挟み込まれることがある。このように内側櫛歯および頭部に挟み込まれた髪は、髪を挟み込んでいる内側櫛歯が通過することにより、別の櫛歯の側面との接触、または、髪自身の弾性力により、刃に到達する機会が生じ得る。
【００２７】
第３のバリカンのアタッチメントによれば、各櫛歯の長さが内側櫛歯、中間櫛歯、および、外側櫛歯の順に短くなる。このため、頭部のうちの任意の部分との間に髪を挟み込んだ内側櫛歯が、この部分を通過したとしても、次にこの部分を通過する中間櫛歯が、この髪を引き続き頭部との間に挟み込みやすい。このため、内側櫛歯と頭部との間に挟み込まれた髪は、中間櫛歯の側面あるいは外側櫛歯の側面との接触、または、髪自身の弾性力により刃に到達する機会が得られにくい。
【００２８】
一方、下記〔１〕〜〔５〕に記載のアタッチメントが取り付けられたバリカンである本バリカンによれば、第３のバリカンに含まれる上記問題点が次のように生じにくくなる。本バリカンの補助櫛歯は、外側櫛歯および内側櫛歯よりも短いため、頭部との間に髪を挟み込みにくい。このため、バリカンが充てられた部分の髪は、各櫛歯の側面との接触、または、髪自身の弾性力により、刃に到達する機会が生じやすくなる。このため、本バリカンによれば、第３のバリカンと比較して、刃に案内される髪の量が増えやすい。このため、髪の長さを綺麗に揃えるためのカット作業に要する時間を短くすることに貢献する。このため、髪の長さが綺麗に揃えられた部分、および、自然な風合いを持つ部分を含むテーパーカットを比較的容易に形成することに貢献する。
【００２９】
〔１〕本バリカンのアタッチメントの独立した一形態によれば、バリカンにマウントされるボディと、前記ボディと結合し、バリカンのブレードユニットを覆うヘッドカバーと、前記ヘッドカバーに形成されてバリカンのブレードユニットを前記ヘッドカバーから露出させるスリット群と、前記ボディおよび前記ヘッドカバーの少なくとも一方と結合した櫛歯群とを含むバリカンのアタッチメントであって、前記櫛歯群が、外側櫛歯、内側櫛歯、および、補助櫛歯を含み、前記外側櫛歯が、前記アタッチメントの幅方向において前記内側櫛歯および前記補助櫛歯よりも外側に形成され、前記内側櫛歯が、前記アタッチメントの幅方向において前記補助櫛歯よりも内側に形成され、前記外側櫛歯よりも長く、前記補助櫛歯が、前記外側櫛歯よりも短い。
【００３０】
本アタッチメントが取り付けられるバリカンによれば、髪の長さを綺麗に揃えるカット動作が形成されるとき、主として、外側櫛歯および補助櫛歯の間に髪が案内されるようにバリカンが頭部に充てられる。一方、本バリカンによれば、補助櫛歯が外側櫛歯および内側櫛歯よりも短いため、頭部と補助櫛歯との間に髪が挟み込まれにくい。このため、髪の長さを綺麗に揃えるためのカット作業に要する時間を短くすることに貢献する。このため、髪の長さが綺麗に揃えられた部分、および、自然な風合いを持つ部分を含むテーパーカットを比較的容易に形成することに貢献する。
【００３１】
〔２〕前記バリカンのアタッチメントに従属する一形態によれば、前記スリット群に含まれる１つのスリットが、前記内側櫛歯と前記補助櫛歯との間に形成され、前記スリット群に含まれる別の１つのスリットが、前記外側櫛歯と前記補助櫛歯との間に形成され、前記１つのスリットよりも幅が広い。
【００３２】
本アタッチメントによれば、外側櫛歯と補助櫛歯との間に形成されるスリットが、内側櫛歯と補助櫛歯との間に形成されるスリットと比較して、ブレードユニットをより多く露出させる。このため、本アタッチメントが取り付けられるバリカンによれば、外側櫛歯と補助櫛歯との間に存在するブレードユニットの一部に案内される髪の量が、内側櫛歯と補助櫛歯との間に存在するブレードユニットの一部に案内される髪の量よりも多くなりやすい。このため、髪の長さを綺麗に揃えるためのカット作業に要する時間を短くすることに一層貢献する。
【００３３】
〔３〕前記バリカンのアタッチメントに従属する一形態によれば、前記アタッチメントの幅方向における前記外側櫛歯と前記補助櫛歯との間隔が、前記アタッチメントの幅方向における前記内側櫛歯と前記補助櫛歯との間隔よりも広い。
【００３４】
本アタッチメントによれば、外側櫛歯の側面と補助櫛歯の側面との間に形成される空間が、内側櫛歯の側面と補助櫛歯の側面との間に形成される空間と比較して広くなる。このため、外側櫛歯と補助櫛歯との間を通過する髪の量が多くなりやすい。このため、本アタッチメントが取り付けられるバリカンによれば、外側櫛歯と補助櫛歯との間に存在するブレードユニットの一部に案内される髪の量が、内側櫛歯と補助櫛歯との間に存在するブレードユニットの一部に案内される髪の量よりも多くなりやすい。このため、髪の長さを綺麗に揃えるためのカット作業に要する時間を短くすることに一層貢献する。
【００３５】
〔４〕前記バリカンのアタッチメントに従属する一形態によれば、前記アタッチメントが、髪をバリカンのブレードユニット側に案内するガイドをさらに含み、前記ガイドは、前記ヘッドカバー上において前記アタッチメントの幅方向の外側部分に形成され、前記外側櫛歯と結合し、前記アタッチメントの幅方向に広がる形状を有し、前記アタッチメントの幅方向において外側から内側に向かうにつれて前記外側櫛歯の頂部側から前記スリット群に含まれるスリット側に向けて傾斜した部分を含み、前記ブレードユニットが配置される領域を挟んで、前記ヘッドカバーのうちの前記ガイドを支持する部分の内面に臨む部分が、前記ブレードユニットの一部を露出させる構造を有している。
【００３６】
本アタッチメントによれば、外側櫛歯の周囲の髪が、ガイドにより外側櫛歯と補助櫛歯との間のスリットに案内されやすくなる。このため、本アタッチメントが取り付けられるバリカンによれば、外側櫛歯と補助櫛歯との間に存在するブレードユニットの一部によりカットされる髪の量が多くなりやすい。このため、ヘッドカバーのうちのガイドを支持する部分の内面に臨む部分が、ブレードユニットを覆う構造を有していると仮定した場合、ブレードユニットの周囲に多くの髪が溜まりやすい。一方、本アタッチメントによれば、ヘッドカバーのうちのガイドを支持する部分の内面に臨む部分が、ブレードユニットの一部を露出させる構造を有している。このため、カットされた髪がアタッチメントの外部に排出されやすい。
【００３７】
〔５〕前記バリカンのアタッチメントに従属する一形態によれば、前記アタッチメントが、前記アタッチメントの長手方向において前記ボディに対してスライドするスライドプレートをさらに含み、前記スライドプレートが、前記スリット群に含まれるスリットの一部分を覆う突出位置、および、前記突出位置よりも前記スリット群から離れた引込位置を取り、前記スライドプレートにおける前記櫛歯群側の縁は、前記アタッチメントの幅方向の外側において内側よりも前記櫛歯群側にせり出している。
【００３８】
本アタッチメントが取り付けられるバリカンは、上記〔２〕〜〔４〕の少なくとも１つの構成を含む。このため、外側櫛歯側においてカットされる髪の量が多くなりやすい。このため、上記構成を含まない場合と比較して、外側櫛歯側においてカットされる髪の量、および、内側櫛歯側においてカットされる髪の量に大きな差が生じるおそれがある。そして、このようにカットされる髪の量に差が生じた場合、カットされた髪の風合いが、頭部の所定の部位間において大きく異なるおそれがある。
【００３９】
しかし、本アタッチメントに含まれる上記スライドプレートに関する構造は、このような問題が生じるおそれを次のとおり低減する。本アタッチメントによれば、スライドプレートがボディに対して突出位置を取るとき、櫛歯群側の縁を含む部分によりスリット群の一部を覆う。この部分は、スリット群に対してこのような関係を持つとき、ブレードユニットに案内される髪の量を減らす役割を持つ。また、櫛歯群側の縁を含む部分は、アタッチメントの幅方向における外側の部分が、アタッチメントの幅方向における内側の部分よりも櫛歯群側にせり出している。
【００４０】
このため、スライドプレートが突出位置を取るとき、スライドプレートにおける幅方向の外側の部分は、スライドプレートにおける幅方向の内側の部分と比較して、対応するスリットの一部をより広く覆う。このため、スライドプレートにおける幅方向の外側の部分は、スライドプレートにおける幅方向の内側の部分と比較して、ブレードユニットに案内される髪の量を減らすことに対してより大きく貢献する。このため、外側櫛歯側においてカットされる髪の量、および、内側櫛歯側においてカットされる髪の量に大きな差が生じるおそれが小さくなる。
【００４１】
〔６〕本バリカンの一形態によれば、上記〔１〕〜〔５〕のいずれかのアタッチメントが取り付けられる。このため、上記〔１〕〜〔５〕のアタッチメントにより得られる効果が得られる。
【００４２】
（実施形態）
図１は、バリカン１０およびアタッチメント１００の外観構成を示している。アタッチメント１００は、バリカン１０への取り付け、および、バリカン１０からの取り外しが可能な構造を有している。
【００４３】
バリカン１０は、機能的に結合した複数の構成要素により構成されている。バリカン１０の主要な構成要素は、ケース２０、ブレードユニット３０、スイッチ４０、および、駆動ユニット（図示略）である。ケース２０およびスイッチ４０は、一例として、汎用プラスチックにより形成されている。ブレードユニット３０は、一例として、金属により形成されている。
【００４４】
駆動ユニットは、ケース２０の内部に配置されている。駆動ユニットは、電気モーターおよび運動変換機構を含む。運動変換機構の入力部は、電気モーターの出力軸と結合している。運動変換機構は、電気モーターの出力軸の回転運動に基づいて、その出力部を並進運動させる。
【００４５】
ケース２０の下方部分は、グリップ２１を形成している。アタッチメントマウント２２が、ケース２０の上方部分の側面に形成されている。インジケーターランプ２３が、グリップ２１の下方部分の正面に形成されている。インジケーターランプ２３は、ケース２０に内蔵された電池（図示略）が外部から供給される電力により充電されているときに点灯する。
【００４６】
スイッチ４０は、グリップ２１の上方部分の正面に形成されている。スイッチ４０がオンに設定されることにより、電気モーターが駆動する。スイッチ４０がオフに設定されることにより、電気モーターが停止する。
【００４７】
バリカン１０は、ケース２０に内蔵された可動突起（図示略）を有している。可動突起は、スイッチ４０の位置に連動してケース２０に対して突出または没入する。スイッチ４０がオフに設定されているとき、可動突起がケース２０の内部に没入する。スイッチ４０がオンに設定されているとき、可動突起がケース２０の外部に突出する。
【００４８】
ブレードユニット３０は、ケース２０の先端部分と結合している。ブレードユニット３０は、髪をカットする役割を持つ。ブレードユニット３０は、固定刃３１および可動刃３２を含む。固定刃３１は、ケース２０の先端部分に固定されている。可動刃３２は、運動変換機構の出力部と結合している。固定刃３１の長手方向に広がる端面、および、可動刃３２の長手方向に広がる端面が、互いに面している。可動刃３２は、電気モーターが回転することにより、バリカン１０の幅方向であるブレードユニット３０の長手方向において、固定刃３１に対して往復運動する。
【００４９】
図２（ａ）および図２（ｂ）は、バリカン１０にアタッチメント１００が取り付けられた状態を示している。アタッチメント１００が取り付けられたバリカン１０によれば、ブレードユニット３０が、アタッチメント１００に形成されているスリット群１４０を介してアタッチメント１００の外部を臨む。このため、バリカン１０が頭部に充てられたとき、髪の一部がスリット群１４０を介してブレードユニット３０に到達する。ブレードユニット３０は、固定刃３１および可動刃３２の相対的な往復運動により髪をカットする。
【００５０】
図３Ａ〜図３Ｆを参照して、アタッチメント１００の構成について説明する。
アタッチメント１００は、一例として、汎用プラスチックにより形成されている。アタッチメント１００は、複数の機能部分を含む。複数の機能部分の一例は、ボディ１１０、ヘッドカバー１２０、櫛歯群２００、２つのガイド１５０、および、テーブル１６０である。これらの機能部分は、それぞれ、１つの物体であるアタッチメント１００の一部を構成している。
【００５１】
スライドプレート１７０および樹脂ばね１８０が、アタッチメント１００に取り付けられている。アタッチメント１００、スライドプレート１７０、および、樹脂ばね１８０は、機能的に結合して１つのアッセンブリを構成している。スライドプレート１７０および樹脂ばね１８０は、一例として、汎用プラスチックにより形成されている。
【００５２】
ボディ１１０は、アタッチメント１００をバリカン１０のケース２０にマウントする役割を持つ。ボディ１１０は、ケース２０にマウントされたとき、主としてケース２０の上方部分の側面および背面を覆う。
【００５３】
ロック穴１１１が、ボディ１１０の内面に形成されている。ロック穴１１１は、アタッチメント１００をバリカン１０のケース２０に固定する役割を持つ。ボディ１１０がバリカン１０にマウントされているとき、ケース２０から突出したバリカン１０の可動突起（図示略）は、ロック穴１１１に嵌め込まれる。可動突起がロック穴１１１に嵌め込まれたとき、アタッチメント１００がケース２０に固定される。
【００５４】
櫛歯群２００は、複数の外側櫛歯２１０、複数の内側櫛歯２２０、および、複数の補助櫛歯２３０を含む。各櫛歯２１０，２２０，２３０は、カットする髪の長さを規定する役割、および、髪をブレードユニット３０側に案内する役割を持つ。櫛歯群２００は、一例として、２本の外側櫛歯２１０、２本の内側櫛歯２２０、および、２本の補助櫛歯２３０を含む。
【００５５】
２本の外側櫛歯２１０は、ボディ１１０上に形成され、ボディ１１０の側壁からアタッチメント１００の先端方向に向けて突出している。２本の外側櫛歯２１０は、アタッチメント１００の幅方向において２本の内側櫛歯２２０および２本の補助櫛歯２３０よりも外側に形成されている。２本の外側櫛歯２１０は、アタッチメント１００の幅方向の中心線に対して線対称の関係を有している。
【００５６】
２本の内側櫛歯２２０は、ボディ１１０およびヘッドカバー１２０にまたがり形成され、アタッチメント１００の先端方向に向けて突出している。２本の内側櫛歯２２０は、アタッチメント１００の幅方向において２本の補助櫛歯２３０よりも内側に形成されている。２本の内側櫛歯２２０は、アタッチメント１００の幅方向の中心線に対して線対称の関係を有している。
【００５７】
２本の補助櫛歯２３０は、ヘッドカバー１２０からアタッチメント１００の先端方向に向けて突出している。図３Ｆに示されるとおり、２本の補助櫛歯２３０は、それぞれ、中間刃カバー１３２上に形成されている。２本の補助櫛歯２３０は、アタッチメント１００の幅方向の中心線に対して線対称の関係を有している。
【００５８】
ヘッドカバー１２０は、ブレードユニット３０を含めたバリカン１０の先端部分を覆う役割を持つ。ヘッドカバー１２０は、ボディ１１０がケース２０にマウントされているとき、主として、ブレードユニット３０を含むケース２０の先端部分、ケース２０の上方部分の正面、および、ケース２０の上方部分の背面を覆う。ヘッドカバー１２０は、刃カバー群１３０およびスリット群１４０を含む。
【００５９】
刃カバー群１３０は、ヘッドカバー１２０のうちのブレードユニット３０に対応する部分に形成されている。刃カバー群１３０は、複数の内側刃カバー１３１、複数の中間刃カバー１３２、および、複数の外側刃カバー１３３を含む。刃カバー群１３０は、ブレードユニット３０の一部を覆う役割を持つ。刃カバー群１３０は、一例として、２つの内側刃カバー１３１、２つの中間刃カバー１３２、および、２つの外側刃カバー１３３を含む。
【００６０】
２つの内側刃カバー１３１は、アタッチメント１００の幅方向において一方の内側櫛歯２２０と他方の内側櫛歯２２０との間に形成されている。２つの内側刃カバー１３１は、アタッチメント１００の幅方向の中心線に対して線対称の関係を有している。
【００６１】
一方の中間刃カバー１３２は、アタッチメント１００の幅方向において一方の外側刃カバー１３３と一方の内側櫛歯２２０との間に形成されている。一方の中間刃カバー１３２は、一方の補助櫛歯２３０のうちのブレードユニット３０が配置される空間側の縁と結合している。他方の中間刃カバー１３２は、一方の中間刃カバー１３２に準じた構成を有している。２つの中間刃カバー１３２は、アタッチメント１００の幅方向の中心線に対して線対称の関係を有している。
【００６２】
一方の外側刃カバー１３３は、アタッチメント１００の幅方向において、一方の外側櫛歯２１０と一方の補助櫛歯２３０との間に形成され、一方の外側櫛歯２１０の側面２１２と結合している。他方の外側刃カバー１３３は、一方の外側刃カバー１３３に準じた構成を有している。２つの外側刃カバー１３３は、アタッチメント１００の幅方向の中心線に対して線対称の関係を有している。
【００６３】
スリット群１４０は、ヘッドカバー１２０のうちのブレードユニット３０に対応する部分に形成されている。スリット群１４０は、複数のスリットを含む。スリット群１４０は、ブレードユニット３０の一部をヘッドカバー１２０から露出させる役割を持つ。スリット群１４０は、一例として、２つの第１スリット１４１、２つの第２スリット１４２、２つの第３スリット１４３、および、１つの第４スリット１４４を含む。
【００６４】
第１スリット１４１は、アタッチメント１００の幅方向において互いに隣り合う外側刃カバー１３３と中間刃カバー１３２との間に形成されている。２つの第１スリット１４１は、アタッチメント１００の幅方向の中心線に対して線対称の関係を有している。
【００６５】
第２スリット１４２は、アタッチメント１００の幅方向において互いに隣り合う中間刃カバー１３２と内側櫛歯２２０との間に形成されている。２つの第２スリット１４２は、アタッチメント１００の幅方向の中心線に対して線対称の関係を有している。
【００６６】
第３スリット１４３は、アタッチメント１００の幅方向において互いに隣り合う内側櫛歯２２０と内側刃カバー１３１との間に形成されている。２つの第３スリット１４３は、アタッチメント１００の幅方向の中心線に対して線対称の関係を有している。
【００６７】
第４スリット１４４は、アタッチメント１００の幅方向において互いに隣り合う一方の内側刃カバー１３１と他方の内側刃カバー１３１との間に形成されている。第４スリット１４４は、アタッチメント１００の幅方向の中心線に対して線対称の形状を有する。
【００６８】
ガイド１５０は、外側櫛歯２１０の周囲の髪を第１スリット１４１に案内する役割を持つ。一方のガイド１５０は、一方の外側刃カバー１３３上に形成され、一方の外側櫛歯２１０の側面２１２と結合している。他方のガイド１５０は、他方の外側刃カバー１３３上に形成され、他方の外側櫛歯２１０の側面２１２と結合している。
【００６９】
テーブル１６０は、スライドプレート１７０および樹脂ばね１８０を支持する役割を持つ。テーブル１６０は、バリカン１０の上方部分の正面と対応する部分に形成されている。テーブル１６０は、ヘッドカバー１２０と連続している。テーブル１６０は、ボディ１１０に対してバリカン１０の正面側に突出している。テーブル１６０は、２つのストッパ１６１を含む。ストッパ１６１は、テーブル１６０に対する樹脂ばね１８０の位置を決める役割を持つ。
【００７０】
スライドプレート１７０は、スリット群１４０の各スリット１４１〜１４４の下方部分を、バリカン１０の正面側から覆う役割を持つ。スライドプレート１７０は、テーブル１６０に取り付けられている。スライドプレート１７０は、テーブル１６０に対してアタッチメント１００の長手方向に移動し得る。
【００７１】
樹脂ばね１８０は、テーブル１６０に対するスライドプレート１７０の位置を決める役割を持つ。樹脂ばね１８０は、テーブル１６０とスライドプレート１７０との間に配置され、スライドプレート１７０と結合している。樹脂ばね１８０は、腕１８１を含む。腕１８１は、テーブル１６０のストッパ１６１と接触している。
【００７２】
図４および図５を参照して、櫛歯群２００の詳細な構成について説明する。
外側櫛歯２１０の頂部２１１は、Ｒ形状を有している。内側櫛歯２２０の頂部２２１は、Ｒ形状を有している。補助櫛歯２３０の頂部２３１は、Ｒ形状を有している。
【００７３】
外側櫛歯２１０の長さ、内側櫛歯２２０の長さ、および、補助櫛歯２３０の長さは、互いに異なる。各櫛歯２１０，２２０，２３０の長さは、一例として、基準位置から各櫛歯２１０，２２０，２３０の頂部までの寸法を示す。基準位置は、一例として、各スリット１４１〜１４４のいずれかの底を通過する仮想線により規定される。図３Ａの二点鎖線は、この仮想線の一例を示している。
【００７４】
この規定に従う場合、各櫛歯２１０，２２０，２３０の長さは、次のように記述される。外側櫛歯２１０の長さは、外側櫛歯２１０における第１スリット１４１との付け根から頂部２１１までの寸法を示す。内側櫛歯２２０の長さは、内側櫛歯２２０における第２スリット１４２との付け根から頂部２２１までの寸法を示す。補助櫛歯２３０の長さは、補助櫛歯２３０における第１スリット１４１または第２スリット１４２との付け根から頂部２３１までの寸法を示す。内側櫛歯２２０の長さは、外側櫛歯２１０の長さ、および、補助櫛歯２３０の長さよりも長い。外側櫛歯２１０の長さは、補助櫛歯２３０の長さよりも長い。
【００７５】
外側櫛歯２１０の一方の側面２１２は、アタッチメント１００の幅方向において互いに隣り合う補助櫛歯２３０の一方の側面２３２と対向している。補助櫛歯２３０の他方の側面は、アタッチメント１００の幅方向において互いに隣り合う内側櫛歯２２０の一方の側面２２２と対向している。
【００７６】
内側櫛歯２２０の側面２２２の面積は、外側櫛歯２１０の側面２１２の面積、および、補助櫛歯２３０の側面２３２の面積よりも広い。外側櫛歯２１０の側面２１２の面積は、補助櫛歯２３０の側面２３２の面積よりも広い。
【００７７】
外側櫛歯２１０の縁２１３は、頂部２１１のＲ形状の部分、縁背面部分２１４、および、縁正面部分２１５を含む。縁背面部分２１４は、縁２１３のうちの頂部２１１よりもバリカン１０の背面側の部分であり、直線的な形状を有している。縁正面部分２１５は、縁２１３のうちの頂部２１１よりもバリカン１０の正面側の部分であり、緩やかに湾曲した形状を有している。
【００７８】
内側櫛歯２２０の縁２２３は、頂部２２１のＲ形状の部分、縁背面部分２２４、および、縁正面部分２２５を含む。縁背面部分２２４は、縁２２３のうちの頂部２２１よりもバリカン１０の背面側の部分であり、直線的な形状を有している。縁正面部分２２５は、縁２２３のうちの頂部２２１よりもバリカン１０の正面側の部分であり、緩やかに湾曲した形状を有している。
【００７９】
補助櫛歯２３０の縁２３３は、頂部２３１のＲ形状の部分、縁背面部分２３４、および、縁正面部分２３５を含む。縁背面部分２３４は、縁２３３のうちの頂部２３１よりもバリカン１０の背面側の部分であり、直線的な形状を有している。縁正面部分２３５は、縁２３３のうちの頂部２３１よりもバリカン１０の正面側の部分であり、緩やかに湾曲した形状を有している。
【００８０】
各櫛歯２１０，２２０，２３０の縁は、アタッチメント１００の側面視において、任意の基準の櫛歯の縁が別の櫛歯の縁の内側に存在する第１の関係、および、任意の基準の櫛歯の縁が別の櫛歯の縁の外側に存在する第２の関係を形成している。これらの関係は、一例として、次のように記述される。各櫛歯２１０，２２０，２３０のうちの２つの櫛歯を同一の平面上に投影した場合において、基準とする一方の櫛歯の縁が他方の櫛歯の縁に囲まれている場合、これらの櫛歯の縁は、第１の関係を形成している。各櫛歯２１０，２２０，２３０のうちの２つの櫛歯を同一の平面上に投影した場合において、基準とする一方の櫛歯の縁が他方の櫛歯の縁を囲んでいる場合、これらの櫛歯の縁は、第２の関係を形成している。
【００８１】
各櫛歯２１０，２２０，２３０の縁は、一例として、次の関係を有している。アタッチメント１００の側面視において、補助櫛歯２３０の縁２３３は、外側櫛歯２１０の縁２１３よりも内側に存在している。これらの縁２１３，２３３の関係は、第１の関係に相当する。アタッチメント１００の側面視において、補助櫛歯２３０の縁２３３は、内側櫛歯２２０の縁２２３よりも内側に存在している。これらの縁２２３，２３３の関係は、第１の関係に相当する。アタッチメント１００の側面視において、内側櫛歯２２０の縁２２３は、外側櫛歯２１０の縁２１３の外側に存在している。これらの縁２１３，２２３の関係は、第２の関係に相当する。
【００８２】
図６を参照して、各櫛歯２１０，２２０，２３０の間隔について説明する。
櫛歯群２００によれば、アタッチメント１００の幅方向において互いに隣り合う櫛歯同士の間隔が互いに異なる。アタッチメント１００の幅方向における外側櫛歯２１０と補助櫛歯２３０との間隔である第１櫛歯間隔は、アタッチメント１００の幅方向における補助櫛歯２３０と内側櫛歯２２０との間隔である第２櫛歯間隔よりも広い。アタッチメント１００の幅方向における一方の内側櫛歯２２０と他方の内側櫛歯２２０との間隔である第３櫛歯間隔は、第１櫛歯間隔よりも広い。
【００８３】
第１櫛歯間隔および第２櫛歯間隔の関係によれば、外側櫛歯２１０の側面２１２と補助櫛歯２３０の側面２３２との間に形成される空間が、内側櫛歯２２０の側面２２２と補助櫛歯２３０の側面２３２との間に形成される空間と比較して広くなる。このため、外側櫛歯２１０と補助櫛歯２３０との間を通過する髪の量が多くなりやすい。このため、外側櫛歯２１０と補助櫛歯２３０との間に存在するブレードユニット３０の一部に案内される髪の量が、内側櫛歯２２０と補助櫛歯２３０との間に存在するブレードユニット３０の一部に案内される髪の量よりも多くなりやすい。すなわち、第１櫛歯間隔および第２櫛歯間隔の関係は、外側櫛歯２１０と補助櫛歯２３０との間に存在するブレードユニット３０の一部によりカットされる髪の量を増やすことに貢献する。
【００８４】
図３Ｅおよび図６を参照して、スリット群１４０の詳細について説明する。
スリット群１４０によれば、アタッチメント１００の幅方向における各スリット１４１〜１４４の幅が互いに異なる。各スリット１４１〜１４４の幅は、一例として、次の関係を有している。第１スリット１４１の幅は、第２スリット１４２〜第４スリット１４４の幅よりも広い。第２スリット１４２の幅は、第３スリット１４３および第４スリット１４４の幅よりも広い。第３スリット１４３の幅は、第４スリット１４４の幅よりも広い。
【００８５】
スリット群１４０によれば、第１スリット１４１が、第２スリット１４２と比較して、ブレードユニット３０をより多く露出させる。このため、外側櫛歯２１０と補助櫛歯２３０との間に存在するブレードユニット３０の一部に案内される髪の量が、内側櫛歯２２０と補助櫛歯２３０との間に存在するブレードユニット３０の一部に案内される髪の量よりも多くなりやすい。すなわち、第１スリット１４１および第２スリット１４２の関係は、外側櫛歯２１０と補助櫛歯２３０との間に存在するブレードユニット３０の一部によりカットされる髪の量を増やすことに貢献する。
【００８６】
図３Ｆおよび図６を参照して、ガイド１５０の詳細について説明する。
ガイド１５０は、アタッチメント１００の幅方向に広がる形状を有している。ガイド１５０は、アタッチメント１００の幅方向において外側から内側に向かうにつれて外側櫛歯２１０の頂部２１１側から第１スリット１４１側に向けて傾斜した部分を含む。
【００８７】
このため、バリカン１０によれば、外側櫛歯２１０の周囲の髪が、ガイド１５０により外側櫛歯２１０と補助櫛歯２３０との間の第１スリット１４１に案内されやすくなる。このため、外側櫛歯２１０と補助櫛歯２３０との間に存在するブレードユニット３０の一部によりカットされる髪の量が多くなりやすい。
【００８８】
図３Ｅ、図３Ｆ、図６、および、図７を参照して、刃カバー１３０群の詳細について説明する。なお、図７は、２つの内側刃カバー１３１およびその周辺の斜視構造を拡大して示している。
【００８９】
図３Ｆに示されるとおり、中間刃カバー１３２は、ブレードユニット３０の一部の正面および背面を覆う構造を有している。中間刃カバー１３２の幅は、補助櫛歯２３０の幅よりも広い。中間刃カバー１３２におけるアタッチメント１００の幅方向内側の縁は、補助櫛歯２３０の内側の側面２３２よりも幅方向の内側に突出している。中間刃カバー１３２におけるアタッチメント１００の幅方向外側の縁は、補助櫛歯２３０の外側の側面２３２よりも幅方向の外側に突出している。
【００９０】
図７に示されるとおり、内側刃カバー１３１は、ブレードユニット３０の一部の正面および背面を覆う構造を有している。一方、図３Ｅおよび図３Ｆに示されるとおり、外側刃カバー１３３は、開放空間１３５によりブレードユニット３０の一部の正面をヘッドカバー１２０の外部に露出させる構造を有している。すなわち、内側刃カバー１３１と同様の骨格を有する仮想の刃カバーを基準の刃カバーと規定した場合、外側刃カバー１３３の構造は、基準の刃カバーの一部が省略されることにより、開放空間１３５が形成された構造に相当する。この開放空間１３５は、第１スリット１４１と連続している。
【００９１】
図３Ｆおよび図６に示されるとおり、基準の刃カバーにおいて省略される一部は、ブレードユニット３０が配置される領域を挟んで、ヘッドカバー１２０のうちのガイド１５０を支持する部分である外側刃カバー１３３の内面１３４に臨む部分に相当する。
【００９２】
このような外側刃カバー１３３の構造を含めたヘッドカバー１２０の構造は、次のように記述できる。すなわち、ブレードユニット３０が配置される領域を挟んで外側刃カバー１３３の内面１３４に臨む部分である開放空間１３５が、ブレードユニット３０の一部の正面側をヘッドカバー１２０から露出させている。
【００９３】
バリカン１０によれば、外側櫛歯２１０と補助櫛歯２３０との間に存在するブレードユニット３０の一部によりカットされる髪の量が多くなる。このため、ヘッドカバー１２０が外側刃カバー１３３に代えて基準の刃カバーを有していると仮定した場合、ブレードユニット３０の周囲に多くの髪が溜まりやすい。一方、アタッチメント１００によれば、ヘッドカバー１２０に開放空間１３５が形成されているため、カットされた髪が、ブレードユニット３０の周囲から開放空間１３５を介してアタッチメント１００の外部に排出されやすくなる。
【００９４】
図３Ａ、図３Ｂ、および、図８を参照して、スライドプレート１７０の動作について説明する。なお、図３Ｂは、図３Ａのアタッチメント１００からスライドプレート１７０が省略された状態を示している。
【００９５】
スライドプレート１７０および樹脂ばね１８０は、テーブル１６０に対して一体的に移動し得る。スライドプレート１７０は、テーブル１６０に対して引込位置および突出位置を取り得る。図３Ａは、スライドプレート１７０が引込位置を取る状態を示している。図８は、スライドプレート１７０が突出位置を取る状態を示している。
【００９６】
図３Ａに示されるとおり、スライドプレート１７０が引込位置を取る状態において、スライドプレート１７０を突出位置に移動させる力がスライドプレート１７０に加えられたとき、図３Ｂに示される樹脂ばね１８０の腕１８１が変形する。このため、腕１８１がストッパ１６１を乗り越えながら、スライドプレート１７０および樹脂ばね１８０が突出位置に向けて移動する。腕１８１がストッパ１６１を乗り越えたとき（図示略）、図８に示されるとおり、スライドプレート１７０が突出位置を取る。スライドプレート１７０は、腕１８１の復元力により突出位置に保持される。
【００９７】
図８に示されるとおり、スライドプレート１７０が突出位置を取る状態において、スライドプレート１７０を引込位置に移動させる力がスライドプレート１７０に加えられたとき、樹脂ばね１８０の腕１８１が変形する。このため、腕１８１がストッパ１６１を乗り越えながら、スライドプレート１７０および樹脂ばね１８０が引込位置に向けて移動する。図３Ｂに示されるとおり、腕１８１がストッパ１６１を乗り越えたとき、図３Ａに示されるとおり、スライドプレート１７０が引込位置を取る。スライドプレート１７０は、引込位置に保持される。
【００９８】
図９を参照して、スライドプレート１７０の機能について説明する。
バリカン１０は、すでに記述された次の３つの構造を含む。１つ目の構造によれば、第１櫛歯間隔が第２櫛歯間隔よりも広い。２つ目の構造によれば、第１スリット１４１の間隔が別のスリット１４２〜１４４の間隔よりも広い。３つ目の構造によれば、外側櫛歯２１０と結合したガイド１５０が形成されている。
【００９９】
これらの構造は、それぞれ、外側櫛歯２１０と補助櫛歯２３０との間に存在するブレードユニット３０の一部によりカットされる髪の量を増やすことに貢献する。このため、バリカン１０によれば、上記３つの構造の少なくとも１つを含まない場合と比較して、外側櫛歯２１０と補助櫛歯２３０との間に存在するブレードユニット３０によりカットされる髪の量が多くなる。
【０１００】
このようなアタッチメント１００の機能は、髪のカットに要する時間を短くすることに貢献する一方、アタッチメント１００における外側櫛歯２１０側の領域および内側櫛歯２２０側の領域における髪のカット量に大きな差を生じさせるおそれを含む。そして、このようにカットされる髪の量に差が生じた場合には、カットされた髪の風合いが、頭部の所定の部位間において大きく異なるおそれがある。
【０１０１】
しかし、スライドプレート１７０が含む構造によれば、このような問題が生じるおそれが次のとおり低減される。スライドプレート１７０は、ボディ１１０に対して突出位置を取るとき、縁１７１を含む端部１７２により各スリット１４１〜１４４の下方部分を覆う。端部１７２は、各スリット１４１〜１４４に対してこのような関係を持つとき、ブレードユニット３０の一部に案内される髪の量を減らすことに貢献する。
【０１０２】
図１０Ａは、スライドプレート１７０が引込位置に設定されている場合に、バリカン１０が側頭部３００に充てられた状態を示している。図１０Ｂは、スライドプレート１７０が突出位置に設定されている場合に、バリカン１０が側頭部３００に充てられた状態を示している。図１０Ａおよび図１０Ｂは、側頭部３００に生えている多数の髪３１０の一部のみを示している。
【０１０３】
図１０Ａに示されるとおり、スライドプレート１７０が引込位置を取るとき、髪３１０が、スライドプレート１７０の端部１７２に接触する前にブレードユニット３０に到達しやすい。このため、スライドプレート１７０は、ブレードユニット３０によりカットされる髪３１０の量に影響を及ぼしにくい。
【０１０４】
図１０Ｂに示されるとおり、スライドプレート１７０が突出位置を取るとき、髪３１０が、ブレードユニット３０に到達する前にスライドプレート１７０の端部１７２に接触しやすい。端部１７２に接触した髪３１０は、ブレードユニット３０に到達しにくい。このため、ブレードユニット３０によりカットされる髪３１０の量が減少しやすい。すなわち、スライドプレート１７０は、ブレードユニット３０によりカットされる髪３１０の量に影響を及ぼしやすい。
【０１０５】
端部１７２は、アタッチメント１００の幅方向における外側の部分が、アタッチメント１００の幅方向における内側の部分よりも櫛歯群２００側にせり出している。このため、スライドプレート１７０が突出位置を取るとき、端部１７２における幅方向の外側の部分は、端部１７２における幅方向の内側の部分と比較して、対応するスリットの下方部分をより広く覆う。このため、端部１７２における幅方向の外側の部分は、端部１７２における幅方向の内側の部分と比較して、ブレードユニット３０の一部に案内される髪３１０の量を減らすことに対してより大きく貢献する。このため、外側櫛歯２１０側の領域においてカットされる髪３１０の量、および、内側櫛歯２２０側の領域においてカットされる髪３１０の量に大きな差が生じるおそれが小さくなる。
【０１０６】
図１１Ａ、図１１Ｂ、図１２Ａ、および、図１２Ｂを参照して、バリカン１０による髪３１０のカット形態について説明する。バリカン１０によれば、一例として、自然なスキ刈り、自然なテーパーカット、および、別の自然なテーパーカットを形成できる。
【０１０７】
図１１Ａおよび図１１Ｂは、側頭部３００に自然なスキ刈りを形成する場合におけるバリカン１０の使用形態の一例を示している。側頭部３００に自然なスキ刈りを形成する場合、最初にスライドプレート１７０が突出位置に設定される。次に、図１１Ａに示されるとおり、側頭部３００のうちの下方の部分にバリカン１０が充てられる。このとき、各外側櫛歯２１０の縁背面部分２１４、および、各内側櫛歯２２０の縁背面部分２２４（図４および図５参照）が、側頭部３００に充てられる。そして、バリカン１０の移動方向と櫛歯群２００の長手方向とが実質的に一致するように、バリカン１０が側頭部３００の下方から上方に向けて動かされる。
【０１０８】
このため、図１１Ｂに示されるとおり、髪３１０が隣り合う櫛歯２１０，２２０，２３０の間を通過する。隣り合う各櫛歯２１０，２２０，２３０の間を通過した髪３１０の一部は、各スリット１４１〜１４４を介してブレードユニット３０に到達する。一方、隣り合う各櫛歯２１０，２２０，２３０の間を通過した髪３１０の別の一部は、各刃カバー１３１〜１３３と接触する。このため、側頭部３００に自然なスキ刈りが形成される。
【０１０９】
図１２Ａおよび図１２Ｂは、側頭部３００に自然なテーパーカットを形成する場合におけるバリカン１０の使用形態の一例を示している。側頭部３００に自然なテーパーカットを形成する場合、最初にスライドプレート１７０が引込位置に設定される。次に、図１２Ａに示されるとおり、側頭部３００のうちの下方の部分にバリカン１０が充てられる。このとき、アタッチメント１００の幅方向の中心線よりも一方側に存在する外側櫛歯２１０の縁背面部分２１４、および、内側櫛歯２２０の縁背面部分２２４（図４および図５参照）が側頭部３００に充てられる。そして、バリカン１０の移動方向が櫛歯群２００の長手方向に対して交差するように、バリカン１０が頭部の下方から上方に向けて動かされる。
【０１１０】
このため、図１２Ｂに示されるとおり、櫛歯群２００の各櫛歯が、内側櫛歯２２０、補助櫛歯２３０、および、外側櫛歯２１０の順にバリカン１０の進行方向側に存在する髪３１０に接触していく。このとき、髪３１０が、内側櫛歯２２０の側面２２２、補助櫛歯２３０の側面２３２、または、外側櫛歯２１０の側面２１２に接触し、ブレードユニット３０側に案内される。各櫛歯２１０，２２０，２３０により案内された髪３１０の一部は、各スリット１４１〜１４４を介してブレードユニット３０に到達する。一方、各櫛歯２１０，２２０，２３０により案内された髪３１０の別の一部は、各刃カバー１３１〜１３３と接触する。このため、側頭部３００がテーパー状にスキ刈りされる。そして、上記のカット動作が繰り返されることにより、側頭部３００が自然なテーパーカットに仕上げられていく。
【０１１１】
側頭部３００に別の自然なテーパーカットを形成する場合、自然なテーパーカットを形成するための上記カット動作に加えて、さらに、耳周りおよび襟足の髪３１０の長さを綺麗に揃えるカット動作である周囲カット動作が行われる。この周囲カット動作は、スライドプレート１７０が引込位置に設定された状態において、例えば、側頭部３００が概ね自然なテーパーカットに仕上げられた後に行われる。
【０１１２】
周囲カット動作は、主として次の２種類のバリカンの動作を含む。
１つ目のバリカンの動作によれば、バリカン１０が概ね立てられた姿勢において、耳周りまたは襟足に充てられる。このとき、アタッチメント１００の幅方向の中心線よりも一方側に存在する外側櫛歯２１０の縁背面部分２１４、および、内側櫛歯２２０の縁背面部分２２４（図４および図５参照）が、耳周りまたは襟足に充てられる。そして、バリカン１０の移動方向が櫛歯群２００の長手方向に対して交差するように、バリカン１０が頭部の下方から上方に向けて動かされる。このため、櫛歯群２００の各櫛歯が、内側櫛歯２２０、補助櫛歯２３０、および、外側櫛歯２１０の順にバリカン１０の進行方向側に存在する髪３１０に接触していく。
【０１１３】
２つ目のバリカンの動作によれば、バリカン１０が概ね寝かせられた姿勢において、耳周りまたは襟足に充てられる。このとき、アタッチメント１００の幅方向の中心線よりも一方側に存在する外側櫛歯２１０の縁背面部分２１４、および、内側櫛歯２２０の縁背面部分２２４が、耳周りまたは襟足に充てられる。そして、バリカン１０の移動方向が櫛歯群２００の長手方向に対して交差するように、バリカン１０が側頭部３００の後方から前方に向けて、または、側頭部３００の前方から後方に向けて動かされる。このため、櫛歯群２００の各櫛歯が、外側櫛歯２１０、補助櫛歯２３０、および、内側櫛歯２２０の順にバリカン１０の進行方向側に存在する髪３１０に接触していく。
【０１１４】
バリカン１０は、以下に示される１つまたは複数の理由により、上記２種類の周囲カット動作に要する時間を短くすることに貢献する。このため、第３のバリカンと比較して、髪３１０の長さが綺麗に揃えられた部分、および、自然な風合いを持つ部分を含むテーパーカットである別の自然なテーパーカットを比較的容易に形成することに貢献する。
【０１１５】
補助櫛歯２３０が存在しているため、補助櫛歯２３０が存在していない場合と比較して、髪３１０と接触し得る櫛歯群２００の面積が広い。このため、ブレードユニット３０側に案内される髪３１０の量が多くなりやすい。なお、補助櫛歯２３０が存在していない構成の一例は、補助櫛歯２３０が省略された点だけがアタッチメント１００と相違し、その他の点がアタッチメント１００と実質的に一致する。
【０１１６】
補助櫛歯２３０の長さが、内側櫛歯２２０および外側櫛歯２１０よりも短い。このため、このような長さの関係が設定されていない場合と比較して、補助櫛歯２３０が頭部との間に髪３１０を挟み込みにくい。このため、髪３１０が、櫛歯群２００の櫛歯の側面との接触、または、髪３１０自身の弾性力により、ブレードユニット３０に到達する機会が生じやすくなる。なお、上記長さの関係が設定されていない構成の一例は、外側櫛歯２１０と内側櫛歯２２０との間に補助櫛歯２３０に代わる中間櫛歯を有する点においてアタッチメント１００と相違し、その他の点がアタッチメント１００と実質的に一致する。中間櫛歯の長さは、外側櫛歯２１０よりも長く、かつ、内側櫛歯２２０よりも短い。
【０１１７】
スライドプレート１７０が、引込位置および突出位置を取り得る。周囲カット動作が行われるとき、スライドプレート１７０が引込位置に設定される。このため、各櫛歯２１０，２２０，２３０によりブレードユニット３０側に案内された髪３１０が、スライドプレート１７０の端部１７２に接触しにくい。このため、案内された髪３１０が、スリット群１４０を介してブレードユニット３０に到達しやすい。
【０１１８】
バリカン１０によれば、以下の効果が得られる。
（１）アタッチメント１００が、補助櫛歯２３０を含む。補助櫛歯２３０が、外側櫛歯２１０および内側櫛歯２２０よりも短い。この構成によれば、髪３１０の長さを綺麗に揃えるカット動作が形成されるとき、主として、外側櫛歯２１０および補助櫛歯２３０の間に髪３１０が案内されるようにバリカン１０が頭部に充てられる。一方、バリカン１０によれば、頭部と補助櫛歯２３０との間に髪３１０が挟み込まれにくい。このため、髪３１０の長さを綺麗に揃えるためのカット作業に要する時間を短くすることに貢献する。このため、髪３１０の長さが綺麗に揃えられた部分、および、自然な風合いを持つ部分を含むテーパーカットを比較的容易に形成することに貢献する。
【０１１９】
（２）アタッチメント１００が、スリット群１４０を含む。第１スリット１４１の幅が、第２スリット１４２の幅よりも広い。この構成によれば、第１スリット１４１が第２スリット１４２と比較して、ブレードユニット３０をより多く露出させる。このため、外側櫛歯２１０と補助櫛歯２３０との間に存在するブレードユニット３０の一部に案内される髪３１０の量が、内側櫛歯２２０と補助櫛歯２３０との間に存在するブレードユニット３０の一部に案内される髪３１０の量よりも多くなりやすい。このため、髪３１０の長さを綺麗に揃えるためのカット作業に要する時間を短くすることに一層貢献する。
【０１２０】
（３）第１櫛歯間隔が第２櫛歯間隔よりも広い。この構成によれば、外側櫛歯２１０の側面２１２と補助櫛歯２３０の側面２３２との間に形成される空間が、内側櫛歯２２０の側面２３２と補助櫛歯２３０の側面２３２との間に形成される空間と比較して広くなる。このため、外側櫛歯２１０と補助櫛歯２３０との間を通過する髪３１０の量が多くなりやすい。このため、外側櫛歯２１０と補助櫛歯２３０との間に存在するブレードユニット３０の一部に案内される髪３１０の量が、内側櫛歯２２０と補助櫛歯２３０との間に存在するブレードユニット３０の一部に案内される髪３１０の量よりも多くなりやすい。このため、髪３１０の長さを綺麗に揃えるためのカット作業に要する時間を短くすることに一層貢献する。
【０１２１】
（４）アタッチメント１００が、ガイド１５０を含む。この構成によれば、外側櫛歯２１０の周囲の髪３１０が、ガイド１５０により外側櫛歯２１０と補助櫛歯２３０との間の第１スリット１４１に案内されやすくなる。このため、外側櫛歯２１０と補助櫛歯２３０との間に存在するブレードユニット３０の一部によりカットされる髪３１０の量が多くなる。このため、髪３１０の長さを綺麗に揃えるためのカット作業に要する時間を短くすることに一層貢献する。
【０１２２】
（５）ヘッドカバー１２０に開放空間１３５が形成されていない場合、ブレードユニット３０の周囲に多くの髪３１０が溜まりやすい。一方、アタッチメント１００によれば、開放空間１３５が、ヘッドカバー１２０に形成されている。このため、カットされた髪３１０が開放空間１３５を介してアタッチメント１００の外部に排出されやすい。このため、ブレードユニット３０の周囲に多量の髪３１０が溜まることに起因して、ブレードユニット３０の切れ味が低下することが抑制される。
【０１２３】
（６）スライドプレート１７０の櫛歯群２００側の縁が、アタッチメント１００の幅方向の外側において内側よりも櫛歯群２００側にせり出している。この構成によれば、スライドプレート１７０が突出位置を取るとき、スライドプレート１７０における幅方向の外側の部分は、スライドプレート１７０における幅方向の内側の部分と比較して、対応するスリットの一部をより広く覆う。このため、スライドプレート１７０における幅方向の外側の部分は、スライドプレート１７０における幅方向の内側の部分と比較して、ブレードユニット３０に案内される髪３１０の量を減らすことに対してより大きく貢献する。このため、外側櫛歯２１０側においてカットされる髪３１０の量、および、内側櫛歯２２０側においてカットされる髪３１０の量に大きな差が生じるおそれが小さくなる。
【０１２４】
（７）アタッチメント１００は、自然なスキ刈り、自然なテーパーカット、および、別の自然なテーパーカットを実現するための機能をバリカン１０に提供する。このため、これらのカットを実現するための機能を個別に提供する複数のアタッチメントを用いる場合と比較して、バリカン１０の使用時においてアタッチメントを交換する手間が削減される。このため、バリカン１０の利便性が高められる。
【０１２５】
（８）補助櫛歯２３０の縁正面部分２３５が、内側櫛歯２２０の縁正面部分２２５よりも内側に存在している。この構成によれば、櫛歯群２００に乗り上げた髪３１０の一部が、外側櫛歯２１０の側面２１２または内側櫛歯２２０の側面２２２に接触しやすい。このため、ブレードユニット３０側に案内される髪３１０の量が多くなりやすい。
【０１２６】
（その他の実施形態）
本バリカンのアタッチメントが取り得る具体的な形態は、実施形態に例示された形態に限定されない。本バリカンのアタッチメントは、本発明の目的が達成される範囲において、上記実施形態とは異なる各種の形態を取り得る。以下に示される上記実施形態の変形例は、本バリカンのアタッチメントが取り得る各種の形態の一例である。
【０１２７】
・変形例のアタッチメント１００によれば、第２櫛歯間隔が、第１櫛歯間隔よりも広い、または、第１櫛歯間隔と同じ寸法を有する。
・変形例のアタッチメント１００によれば、第３櫛歯間隔が、第１櫛歯間隔よりも狭い、または、第１櫛歯間隔と同じ寸法を有する。
【０１２８】
・変形例のアタッチメント１００によれば、スリット群１４０が２〜６のいずれかの数、または、８以上のいずれかの数のスリットを含む。
・変形例のアタッチメント１００によれば、刃カバー群１３０が２〜５のいずれかの数、または、７以上のいずれかの数の刃カバーを含む。
【０１２９】
・変形例のアタッチメント１００によれば、３本以上のいずれかの本数の外側櫛歯２１０が形成される。複数の外側櫛歯２１０は、櫛歯全体として、アタッチメント１００の幅方向の中心線に対して線対称の関係を有することが好ましい。
【０１３０】
・変形例のアタッチメント１００によれば、３本以上のいずれかの本数の内側櫛歯２２０が形成される。複数の内側櫛歯２２０は、櫛歯全体として、アタッチメント１００の幅方向の中心線に対して線対称の関係を有することが好ましい。
【０１３１】
・変形例のアタッチメント１００によれば、３本以上のいずれかの本数の補助櫛歯２３０が形成される。複数の補助櫛歯２３０は、櫛歯全体として、アタッチメント１００の幅方向の中心線に対して線対称の関係を有することが好ましい。２本以上の補助櫛歯２３０が、アタッチメント１００の幅方向において互いに隣り合う外側櫛歯２１０および内側櫛歯２２０の間に形成される場合、これらの補助櫛歯２３０は、互いに異なる長さを取り得る。
【０１３２】
・変形例のアタッチメント１００によれば、複数の機能部分であるボディ１１０、ヘッドカバー１２０、櫛歯群２００、ガイド１５０、および、テーブル１６０が複数のグループに区分され、区分されたグループが個別の物体として製造される。そして、個別に製造された各グループの機能部分が互いに結合されることにより、アタッチメント１００が構成される。
【０１３３】
・変形例の外側刃カバー１３３によれば、上記実施形態の外側刃カバー１３３がブレードユニット３０の一部を露出させている部分に、ブレードユニット３０を覆う部分が形成される。すなわち、変形例の外側刃カバー１３３は、ヘッドカバー１２０のうちのブレードユニット３０が配置される領域を挟んでガイド１５０の内面に臨む部分に、ブレードユニット３０を覆う。
【０１３４】
・変形例の刃カバー群１３０によれば、２つの内側刃カバー１３１、２つの中間刃カバー１３２、および、２つの外側刃カバー１３３のうち１種類または２種類が省略される。
・変形例の刃カバー群１３０によれば、中間刃カバー１３２に準じた構成を有する別の中間刃カバーが、補助櫛歯２３０と内側刃カバー１３１との間に形成される。この別の中間刃カバーは、一例として、内側櫛歯２２０のうちのブレードユニット３０側が配置される空間側の縁と結合される。
【符号の説明】
【０１３５】
１０…バリカン
３０…ブレードユニット
１００…アタッチメント
１１０…ボディ
１２０…ヘッドカバー
１３４…内面
１４０…スリット群
１５０…ガイド
１７０…スライドプレート
１７１…縁
２００…櫛歯群
２１０…外側櫛歯
２１１…頂部
２２０…内側櫛歯
２３０…補助櫛歯
３１０…髪
【図１】
2015128533.tif 000003
【図２】
2015128533.tif 000004
【図３Ａ】
2015128533.tif 000005
【図３Ｂ】
2015128533.tif 000006
【図３Ｃ】
2015128533.tif 000007
【図３Ｄ】
2015128533.tif 000008
【図３Ｅ】
2015128533.tif 000009
【図３Ｆ】
2015128533.tif 000010
【図４】
2015128533.tif 000011
【図５】
2015128533.tif 000012
【図６】
2015128533.tif 000013
【図７】
2015128533.tif 000014
【図８】
2015128533.tif 000015
【図９】
2015128533.tif 000016
【図１０Ａ】
2015128533.tif 000017
【図１０Ｂ】
2015128533.tif 000018
【図１１Ａ】
2015128533.tif 000019
【図１１Ｂ】
2015128533.tif 000020
【図１２Ａ】
2015128533.tif 000021
【図１２Ｂ】
2015128533.tif 000022
【図１３】
2015128533.tif 000023
【図１４】
2015128533.tif 000024